(57)【特許請求の範囲】
【請求項１】
容器本体上方部に設けられた注湯口と、容器本体外面に設けられた加熱温度設定手段と、前記容器本体内部に設けられた内容器と、外部電源に接続されて前記内容器内の水を前記加熱温度設定手段によって設定された温度に加熱保温するヒータと、一端に前記注湯口と接続する接続具を他端にシャワーヘッドを有するフレキシブル給湯管と、前記内容器内の湯を前記フレキシブル給湯管を介して前記シャワーヘッドに供給する外部電源不要の給湯ポンプと、給湯ポンプ駆動モータとを具備してなる簡易温水洗浄器において、
給湯量調整スイッチ及び給湯禁止スイッチが前記容器本体外面に、給湯スイッチが前記シャワーヘッドにそれぞれ配置され、前記給湯禁止スイッチと前記給湯スイッチとは直列に前記給湯ポンプ駆動モータに接続されていることを特徴とする簡易温水洗浄器。
【請求項２】
前記加熱温度設定手段は、少なくとも洗浄温度と煮沸殺菌温度を設定可能とされていることを特徴とする請求項１の簡易温水洗浄器。
【請求項３】
前記フレキシブル給湯管の一端に設けられた前記接続具が、ワンタッチカプラであることを特徴とする請求項１乃至請求項２いずれかの簡易温水洗浄器。
【請求項４】
容器本体上方部に設けられた注湯口と、容器本体外面に設けられた加熱温度設定手段と、前記容器本体内部に設けられた内容器と、交流電源に接続されて前記内容器内の水を前記加熱温度設定手段によって設定された温度に加熱保温するヒータと、一端に前記注湯口と接続する接続具を他端にシャワーヘッドを有するフレキシブル給湯管と、前記内容器内の湯を前記フレキシブル給湯管を介して前記シャワーヘッドに供給する給湯ポンプと、該給湯ポンプ駆動モータと、前記ヒータに交流電流を供給し前記モータに直流電流を供給する電源回路とを具備してなる簡易温水洗浄器において、
前記電源回路は、前記モータに電力を供給する外部交流電源及び内蔵直流電源と、これら外部交流電源及び内蔵直流電源と前記モータとの間に介在して、前記外部交流電源からの交流電流を変換した直流電流のモータへの電力供給を優先するとともに、前記外部交流電源からの電力供給がされないとき前記内蔵直流電源からのモータへの電力供給に切り換える切換手段を具備することを特徴とする簡易温水洗浄器。
【請求項５】
前記ヒータに供給される交流電流が車両のシガーライターソケットよりの直流電流を昇圧ＤＡ変換したものであることを特徴とする請求項４の簡易温水洗浄器。
【発明の詳細な説明】
【０００１】
【発明の属する技術分野】
本発明は、自宅、病院、老人ホーム、障害者センター等で入浴できない病人、要介護者等の身体の汚れを洗浄するための、あるいは、海水浴場、キャンプ場、各種運動施設等の野外で使用するための、簡易な温水洗浄器に関する。
【０００２】
【従来の技術】
従来、野外用としては、水を充填した携帯クーラーボックスやポリタンクを高所に位置させて容器内の水を自然落下させる簡易シャワーや、前記クーラーボックス、ポリタンク内の水を電池を駆動源とするポンプにて揚水散水する簡易シャワーが知られている。
【０００３】
しかしこれらの簡易シャワーはいずれも、簡易シャワー自体に加熱装置を具備するものではないので、お湯のシャワーに浴することはできないものである。
【０００４】
一方、自宅、病院、老人ホーム、障害者センター等の屋内において、入浴できない病人、要介護者等の身体の汚れを洗浄するため、単純に濡れタオルで身体を拭く方法や、プラスチック製洗剤容器内に洗剤とぬるま湯を充填し、この洗剤入りぬるま湯を身体の汚染した部位に噴射して、該部位を洗浄しその後に蒸しタオルで拭く方法等が実施されている。
【０００５】
そこで、室内用の簡易温水洗浄器として、特開２０００−１２６０６６号、特開２０００−２５４０３２号に記載されたものがその後開発されている。
前者は、 貯水部と、該貯水部内の水を加熱する複数の温水ヒータと、該貯水部内の湯を外部に送出するポンプと、該ポンプによって送出された湯を吐出するシャワーヘッドと、内部に温風ヒータを有する温風発生部と、該記温風発生部からの温風を送風する送風管と、湯沸かし時には複数の温水ヒータ全てに通電させると共にシャワー使用時には温水ヒータの一部及び温風発生部に通電させるように制御する制御回路を設けた介護用シャワー装置である。
【０００６】
この介護用シャワー装置は、湯沸し時には、貯水部内のヒータ全てを通電させて、短時間で湯が沸くように制御すると共に、被介護者の身体洗浄時には、一部のヒータと温風発生部が通電するように制御し、温風発生部からの温風によって被介護者の身体を温めながら身体を洗浄するので、被介護者に極力寒い思いをさせずに身体を洗浄できるばかりでなく、身体洗浄時にヒータと温風発生部の両方を動作させたとしても、消費電力を家庭用交流電源のワット数以下に抑えることができるので、一般家庭用の交流電源で充分使用できるものであるが、温風発生部をも有していることから装置自体が相当大きなサイズとなるため、キャスターを設ける必要があり、一般家庭で使用することができても、病院内における多数のベッドの狭い間を迅速に移動することができないものである。
【０００７】
そこで後者においては、要介護者の排泄部分から発生する悪臭を含む空気を吸気して、高電圧放電にもとづくオゾンによる殺菌と、前記高電圧放電にもとづくイオン化または活性炭による脱臭と、により浄化した空気を吐出する空気浄化手段と、装置の内部に設けた水槽の水を加温した温水を管路を介して前記排泄部分に供給する温水供給手段と、前記装置の大きさと重量とを前記介護を行う者が１人で運搬し得る程度の大きさと重量とを、例えば、横・縦・奥行の合計値を１５０ｃｍ以下の大きさとし、また、２５ｋｇ以下の重量として、把手のごとき装置可搬手段とを具備する排泄部分清浄介護装置が、提案されている。
【０００８】
しかしこの排泄部分清浄介護装置も、コンパクト化して把手を設けてポータブルとしているが、前述したように２５ｋｇ程度の重量があり、介護者が病院内の多数のベッドの狭い間を迅速に移動することは困難である。
【０００９】
そして両者は、温風発生部や空気浄化装置部を有しているために、装置がどうしても大型になって充分にはコンパクト化できない。
また、消費電力が大きいことから電源を必要とするため、移動する度にプラグをコンセントに脱着する作業を繰り返さなければならないので、多数の要介護者を迅速に巡回できない。
さらにまた、温水の温度が４０℃程度であることから、装置内に雑菌が繁殖し易く、要介護者の衛生を保つことが困難となる。
【００１０】
【発明が解決しようとする課題】
そこで本発明は、上記の問題点を克服すべくなされたもので、少なくとも洗浄器としての使用時には電源を必要としないような給湯機能をもち、老人、婦人、小人でも容易に持ち運びができ、装置内に雑菌が発生しないように殺菌加熱ができる低価格の簡易温水洗浄器を提供することを目的とするものである。
【００１１】
【課題を解決するための手段】
本発明は、容器本体上方部に設けられた注湯口と、容器本体外面に設けられた加熱温度設定手段と、前記容器本体内部に設けられた内容器と、外部電源に接続されて前記内容器内の水を前記加熱温度設定手段によって設定された温度に加熱保温するヒータと、一端に前記注湯口と接続する接続具を他端にシャワーヘッドを有するフレキシブル給湯管と、前記内容器内の湯を前記フレキシブル給湯管を介して前記シャワーヘッドに供給する外部電源不要の給湯ポンプと、給湯ポンプ駆動モータとを具備してなる簡易温水洗浄器において、給湯量調整スイッチ及び給湯禁止スイッチが前記容器本体外面に、給湯スイッチが前記シャワーヘッドにそれぞれ配置され、前記給湯禁止スイッチと前記給湯スイッチとは直列に前記給湯ポンプ駆動モータに接続することとした。
【００１２】
【実施例】
以下、本発明の簡易温水洗浄器の実施例について、図面を参照して詳述する。図１は、本発明に係る簡易温水洗浄器の斜視図、図２は、容器本体の断面図、図３は、注湯口とフレキシブル給湯管とを接続するワンタッチカプラの拡大断面図である。
【００１３】
図１、図２、図３に示されるように、本発明に係る簡易温水洗浄器１は、容器本体２と該容器本体２にフレキシブル給湯管４を介して接続されたシャワーヘッド３とから構成されている。
５は、容器本体２の上方部において外壁部に膨出環を有する下向きの注湯口３５とフレキシブル給湯管４を接続するワンタッチカプラである。なお、このワンタッチカプラは、柔軟な素材、例えばポリエチレン樹脂、で作成され、前記注湯口に形成された膨出環に簡単に嵌合するものである。また、下方部の空所には、フレキシブル給湯管に内嵌めする継ぎ管が螺合されている。
２２はこの容器本体２の上部開口に設けられた蓋であり、蓋２２は容器本体２の後方に設けられたヒンジ２３により回動自在に軸支される。容器本体２は、この容器本体２の外殻を形成する外ケース２１の内部に、水を貯溜する有底筒状の内容器２５を設けて構成される。内容器２５の底面に形成された凹部２６には、ドーナツ状の湯沸しヒータ２７と保温ヒータ２８が内外位置に取り付け固定される。前記湯沸しヒータ２７としては例えば６００Ｗ程度のものを使用し、保温ヒータ２８としては例えば１００Ｗ程度のものを使用している。
また、この凹部２６のほぼ中央部には、内容器２５の温度を検出するサーミスタなどの温度検出素子２９が設けられる。
【００１４】
内容器２５の下部には、流入口が内容器２５内に連通する電動ポンプ３３が設けられる。３４は、容器本体２の外ケース２１正面側と内容器２５との間に鉛直に設けられた透明な水位計パイプであり、この水位計パイプ３４の下端は前記電動ポンプ３３の吐出口に連通している。水位計パイプ３４の上端には、注湯口３５を下向きに設けてなる出湯パイプ３６が連通接続されており、電動ポンプ３３の図示しないモータによる駆動により、内容器２５内の湯が水位計パイプ３４から出湯パイプ３６を通って、注湯口３５より容器本体２の外部に出るようになっている。
【００１５】
３８は、温度検知素子２９からの温度検知出力に基づき、湯沸しヒータ２７と保温ヒータ２８の通断電を制御して湯沸しおよび保温を制御する（図４枠Ａ）とともに、給湯ポンプ駆動モータの電源電流を制御する（図４枠Ｂ）制御装置である。
また、３９は蓋２２の開閉を規制するロックボタンである。
なお４０は、湯沸し温度設定スイッチ、湯沸しスイッチ、給湯量調整スイッチ及び給湯禁止スイッチ等を備えた操作スイッチ群である。そしてこれらの操作スイッチ群４０は前記容器本体２上面の蓋前方位置に設けられている。４１は外ケース２４の下部に設けられた脚、４２は容器本体に内蔵する直流電源たる蓄電池である。
また、給湯スイッチは、図示しないがシャワーヘッドに設けられている。
【００１６】
電源回路は、湯沸しヒータ２７と保温ヒータ２８は１００Ｖ交流電源により動作し、給湯ポンプ駆動モータ４３は１２Ｖ直流電源により動作するように構成されている。
そして、請求項４に係る発明においては、容器本体２の電源コードがコンセントに接続されていないコードレスの状態のときでも、給湯ポンプ駆動モータ４３が動作するように、容器本体２に直流電源を内蔵して、交流電源からの交流電流を変換した直流電流のモータへの電力供給を優先するとともに、前記交流電源からの電力供給がされないとき前記直流電源からのモータへの電力供給に切り換える切換手段を具備しているものである。
【００１７】
また、請求項５に係る発明においては、屋外においても容器本体内の水を加熱給湯可能なように、車両のシガーライターソケットを電源としている。
この簡易温水洗浄器は、図４に示した回路構成に、変圧器と直流を交流に変換するＤＡ変換器を付加的に有している。
この発明によれば、全く電源のない屋外においても車両の電源を利用して温水シャワーを利用することが可能となり、簡易温水洗浄器の用途を著しく拡大する。
【００１８】
先ず、湯沸しヒータ２７と保温ヒータ２８を動作する回路構成について、そのブロック図を表す図４の主として右枠Ａに基づいて説明する。
交流電源４９にプラグ（図示せず）を介して前記湯沸しヒータ２７とリレー５７の常開接点との直列回路を接続すると共に前記保温ヒータ２８と双方向性３端子サイリスタ５９との直列回路を接続している。
また交流電源４９にプラグ（図示せず）を介して定電圧回路５４を接続している。そして該定電圧回路５４にマイクロプロセッサを有する制御部５３を接続している。
【００１９】
前記制御部５３は、前記リレー５７のコイルを通電制御するリレー駆動回路５６、前記サイリスタ５９を導通制御するサイリスタ駆動回路５８、ＲＡＭ（ランダム・アクセス・メモリ）５５、直流電源バッテリー４２、表示器及び各ＬＥＤ（図示せず）をそれぞれ動作制御するようになっている。
また前記制御部５３には、前記温度検出素子２９及び各種スイッチからの信号を入力するようになっている。前記直流電源バッテリー４２は電源コードがコンセントから外されたとき制御部５３からの指令により該制御部５３に電源を供給するようになっている。
【００２０】
湯沸し温度設定スイッチにより湯沸し温度が設定されると前記制御部５３はＲＡＭ５５に設定湯沸し温度情報を格納するとともに表示器６０に設定された湯沸し温度を表示させる。
この湯沸し温度設定スイッチは、１例として、煮沸温度である１００℃、低温殺菌温度である８０℃、洗浄湯温である４２℃に設定可能とされている。
そして前記制御部５３は温度検出素子２９の検出する温度を取込み、表示器６０に現在温度を表示させる。
前記制御部５３は内容器２５に水が収容され、湯沸しスイッチが操作されると、リレー駆動回路５６を制御するとともに湯沸しＬＥＤ（図示せず）をオンさせる。
これによりリレー５７が動作されてその常開接点がオンし、湯沸しヒータ２７への通電が開始される。
【００２１】
前記内容器２５内の湯温が上昇し温度検出素子２９の検出温度がＲＡＭ５５に格納された設定湯沸し温度に達すると、前記制御部５３はＬＥＤをオンさせて湯沸し動作中であることを知らせる。そして湯沸し動作が所定時間継続されると、リレー駆動回路５６を制御してリレー５７の動作を停止させその常開接点をオフさせて保温動作に移行する。
そして、その後温度検出素子２９の検出温度が設定温度以下に低下するとサイリスタ駆動回路５８を制御して、サイリスタ５９を間欠導通制御して保温ヒータ２８を動作させて保温動作を実行する。以上で給湯準備が整う。
【００２２】
次いで、この簡易温水洗浄器の給湯ポンプ駆動モータの電源構成について、主として図４左枠Ｂを参照して説明する。
本発明に係る簡易温水洗浄器は、容器本体２内部に蓄電池からなる直流内部電源を具備している。このため、電源コードがコンセントに接続されていないときには、この内蔵する直流電源により給湯ポンプ駆動モータが駆動されることとなる。
【００２３】
既に説明したように、３３は給湯ポンプ、４２は内蔵する直流電源である蓄電池、４３は給湯ポンプ駆動モータ、４４はシャワーヘッドに設けた給湯スイッチ、４５は給湯禁止スイッチである。
４６は可変抵抗で、前記給湯量調整スイッチを操作することにより、給湯ポンプ駆動モータ４３の回転数を調整してシャワーヘッドからの給湯量を調整する。
なお、給湯量の調整は、前述した給湯ポンプ駆動モータ４３の回転数の調整に限らず、電磁弁の開放度の変更によってもなし得るものである。
また、４７は整流器、４８は変圧器、５０は電源切換手段としての切換回路である。
この切換回路５０は、前記交流電源４９及び蓄電池４２と給湯ポンプ駆動モータ４３との間に介在して交流電源４９からのモータ４３への電力供給を優先するとともに、交流電源４９から電力供給されないときに蓄電池４２からのモータ４３への電力供給に切り換えるもので、ダイオード５１ａ、５１ｂ、５１ｃ、抵抗５２とにより構成されている。
【００２４】
次いでこのように構成された電源回路の動作について説明する。
先ず、シャワーヘッドに設けられた給湯スイッチ４４が閉じられると、交流電源４９からの交流電力が供給されている場合、交流電源４９の電圧が変圧器４８で下げられ、整流器４７により直流電流に変換される。変換された直流電流は切換回路５０のダイオード５１ａを通ってモータ４３に流れてポンプ３３が動作する。
【００２５】
一方、蓄電池４２は切換回路５０のダイオード５１ｂ、抵抗５２を経て供給される直流電源によって充電されている。いま、交流電源４９の電力が供給されない場合、蓄電池４２が放電し、ダイオード５１ｃを通ってモータ４３に電流が流れ、ポンプ３３が動作する。
【００２６】
このように本実施例では、電池電源として蓄電池４２を使用しているので、電池交換が不要になって好都合である。
なお、電池交換を必要とはするものの、入手が簡単で、小型軽量を図ることができる乾電池、充電式乾電池を使用できることは勿論のことである。
【００２７】
そして、容器本体２の上部にある蓋２２を開け、内容器２５に水を入れた後、電源プラグ（図示せず）をコンセントに挿入する。
なお、容器本体下方部に設けられ電極を有するコネクタに磁性体を埋設し、電源コードの一端に設けられ電極を有するプラグには磁石を埋設しておくことも可能である。
この状態において湯沸しスイッチをオンすると、湯沸しヒータ２７が通電される。その後、湯沸し状態となり、温度検知素子２９が内容器２５内の湯沸し温度設定スイッチによって設定された湯沸し温度を検知し一定時間経過すると、内容器２５の湯は自動的に保温状態で保持される。
そして、シャワーヘッドに設けられた給湯スイッチと前記給湯禁止スイッチとは直列に給湯ポンプ駆動モータ４２に接続されている。
このため、給湯する場合は、給湯禁止スイッチを解除して給湯スイッチ４４を操作すると、電動ポンプ３３が駆動して、出湯パイプ３６の吐出口３５から内容器２５内の湯が流出し、フレキシブル給湯管を通じてシャワーヘッドから散水するようにされている。
また、簡易温水洗浄器を殺菌するときは、湯沸し温度設定スイッチにより煮沸温度に設定して加熱し、シャワーヘッドから散水すれば、器具全体を殺菌消毒することができる。
【００２９】
【発明の効果】
請求項１に係る発明によれば、容器本体上方部に設けられた注湯口と、容器本体外面に設けられた加熱温度設定手段と、前記容器本体内部に設けられた内容器と、外部電源に接続されて前記内容器内の水を前記加熱温度設定手段によって設定された温度に加熱保温するヒータと、一端に前記注湯口と接続する接続具を他端にシャワーヘッドを有するフレキシブル給湯管と、前記内容器内の湯を前記フレキシブル給湯管を介して前記シャワーヘッドに供給する外部電源不要の給湯ポンプと、給湯ポンプ駆動モータとを具備してなる簡易温水洗浄器において、給湯量調整スイッチ及び給湯禁止スイッチが前記容器本体外面に、給湯スイッチが前記シャワーヘッドにそれぞれ配置され、前記給湯禁止スイッチと前記給湯スイッチとは直列に前記給湯ポンプ駆動モータに接続されていることを特徴とする簡易温水洗浄器としたので、温水を豊富に利用しつつ要介護者を洗浄することができるから、要介護者の満足が得られ、また装置をコンパクト化できることから老人、婦人、小人でも容易に持ち運びができ、さらに少なくとも洗浄器としての使用時には電源を必要としないような給湯機能をもつから、移動する度にプラグをコンセントに脱着する作業を繰り返さなくて済むので、多数の要介護者を迅速に巡回できて、効率的に要介護者の身体の洗浄を行うことができる。また、屋外での利用を可能とする。さらに、加熱温度設定スイッチ、給湯量調整スイッチ及び給湯禁止スイッチが容器本体外面に設けられているから、加熱給湯に関する制御を容器本体側で一元的に管理することができ、また、給湯スイッチがシャワーヘッドに配置され、前記給湯禁止スイッチと給湯スイッチとは直列に給湯ポンプ駆動モータに接続されているから、給湯スイッチを洗浄作業状況に応じて適宜的確に操作し得て、洗浄作業を快適、効率的に実行することができ、さらにまた、容器本体側において給湯禁止スイッチが解除されない限りシャワーヘッドに設けられた給湯スイッチに誤って触れても過誤による給湯が防止し得て、要介護者、衣類、寝具等を汚すことがない。
【００３０】
請求項２に係る発明によれば、加熱温度設定手段は、少なくとも洗浄温度と煮沸殺菌温度を設定可能とされていることから、ときに必要に応じて煮沸殺菌して装置内に発生した雑菌を完全に除去することができる。このため、器具内及び温水内に雑菌が繁殖することを防止し得て、洗浄部位に多少の外傷が存在しても要介護者の衛生を保つことができる。
【００３１】
請求項３に係る発明によれば、フレキシブル給湯管の一端に設けられた接続具が、ワンタッチカプラとされているので、容器本体から延伸している長目のフレキシブル給湯管を簡単に着脱でき、簡易温水洗浄器の収納、運搬を容易になし得る。
【００３４】
請求項４に係る発明によれば、ヒータに交流電流を供給し給湯ポンプ駆動モータに直流電流を供給する電源回路が、交流電源からの交流電流を変換した直流電流の前記モータへの電力供給を優先するものであるとともに、外部交流電源からの電力供給がされないとき内蔵直流電源からのモータへの電力供給に切り換える切換手段を具備しているので、電源コードがコンセントに接続されていないコードレスの状態でも、モータを駆動して給湯ポンプを動作させて給湯可能であり、内蔵直流電源の消耗を最も防ぎつつ前記動作を実行することができる。
【００３５】
請求項５に係る発明によれば、ヒータに供給される交流電流が車両のシガーライターソケットよりの直流電流を昇圧ＤＡ変換したものとされているから、一般交流電源が存在しない屋外や山間僻地においても、湯を沸かして温湯シャワーに浴することができる。
【図面の簡単な説明】
【図１】簡易温水洗浄器の実施例の斜視図。
【図２】図１の縦断面図。
【図３】抽出口とフレキシブル給湯管を連結するワンタッチカプラの拡大断面図。
【図４】本実施例における回路構成を示すブロック図。
【符号の説明】
１    簡易温水洗浄器
２    容器本体
３    シャワーヘッド
４    フレキシブル給湯管
５    ワンタッチカプラ
２１  外ケース
２３  ヒンジ
２５  内容器
２７  湯沸しヒータ
２８  保温ヒータ
２９  温度検知素子
３３  電動ポンプ
３４  水位計パイプ
３５  注湯口
３６  出湯パイプ
３８  制御装置
３９  ロックボタン
４０  操作スイッチ群
４２  内蔵直流電源
４３  給湯ポンプ駆動モータ
４４  給湯スイッチ
４５  給湯禁止スイッチ
４６  可変抵抗
４７  整流器
４８  変圧器
４９  外部交流電源
５０  切換回路
５１  サイリスタ
５２  抵抗
５３  制御部
５４  定電圧回路
５５  ＲＡＭ
５６  リレー駆動回路
５７  リレー
５８  サイリスタ駆動回路
５９  サイリスタ
６０  表示器
【図１】
0003644029.tif 000002
【図２】
0003644029.tif 000003
【図３】
0003644029.tif 000004
【図４】
0003644029.tif 000005